(57)【要約】【課題】スピーカユニットを外枠から上方に突出させたデザインとすることにより電飾ランプ等を設置するスペースを確保すると共にパチンコ機全体としての装飾効果を高めることが可能なパチンコ機を提供すること。【解決手段】スピーカユニット１１を、外枠１の上端１ａから上方に突出した位置（ｈ）と、外枠１の上端１ａから下方に退避した位置（ｌ）とに変換可能に設け、スピーカユニット１１に設けた差込部１７，２１を、装飾枠５の上部に設けられた係合部５ｂに挿入することにより当該スピーカユニットが装飾枠５に装着され、その差込部１７，２１を係合部５ｂから抜くことによりスピーカユニット１１が装飾枠５から外れるようにした。【選択図】図２
2009028286.tif 000002
【特許請求の範囲】
【請求項１】
遊技に伴う音声演出を行なうスピーカを備えたパチンコ機において、
前記スピーカをボックスに納めたスピーカユニットを外枠の上端から上方に突出するように配置したことを特徴とするパチンコ機。
【請求項２】
前記スピーカユニットが、前記外枠の上端から上方に突出した位置と、前記外枠の上端から下方に退避した位置とに変換可能に設けられていることを特徴とする請求項１に記載のパチンコ機。
【請求項３】
前記スピーカユニットに設けた差込部を、前記外枠又は当該外枠の前面に配置される装飾枠の上部に設けた係合部に挿入することにより当該スピーカユニットが外枠又は装飾枠に装着され、その差込部を該係合部から抜くことによりスピーカユニットが外枠又は装飾枠から外れるように設けたことを特徴とする請求項１又は２に記載のパチンコ機。
【請求項４】
前記スピーカに電力を供給するためのコネクターのソケット又はプラグの一方を前記係合部の内部に設置し、前記スピーカユニットの差込部に該ソケット又はプラグの他方を設置し、前記差込部を係合部に挿入したときに該プラグがソケットに挿入されるように設けたことを特徴とする請求項１〜３の何れかに記載のパチンコ機。
【発明の詳細な説明】
【技術分野】
【０００１】
本発明は、パチンコ機において音声演出を行なうスピーカの配置に関するものである。
【背景技術】
【０００２】
一般的なパチンコ機では、遊技の進行状況に伴い打球が入賞したときに発せられる入賞音等の様々な効果音により音声演出を行なうスピーカや、発光・照明により視覚効果を演出する電飾ランプを装飾枠に設けている。
【０００３】
ところが、スピーカを配置した箇所には電飾ランプを設けることができないため、視覚的演出に不十分な点がある。そこで、かかる問題点を解決する提案が特許文献１に記載されている。
【０００４】
特許文献１には、装飾枠の前面に取り付けられるスピーカのコーン紙を光透過性材料により形成すると共にスピーカの背面側に設けたランプの光をコーン紙に投射することにより視覚的演出を行なうという技術事項が開示されている。
【０００５】
しかし、スピーカのコーン紙以外の部分、例えばコーン紙の中心に配設されるムービングコイルについては、光透過性材料により製作することができないことから、視覚的演出に自ずと限界があると言えよう。
【特許文献１】特開２００２−２４８２１７号公報
【発明の開示】
【発明が解決しようとする課題】
【０００６】
本発明の目的は、スピーカユニットを外枠から上方に突出させたデザインとすることにより電飾ランプ等を設置するスペースを確保すると共にパチンコ機全体としての装飾効果を高めることが可能なパチンコ機を提供することにある。
【課題を解決するための手段】
【０００７】
前記目的を達成するために請求項１に記載した発明は、遊技に伴う音声演出を行なうスピーカを備えたパチンコ機において、前記スピーカをボックスに納めたスピーカユニットを外枠の上端から上方に突出するように配置したことを特徴とする。
【０００８】
同様の目的を達成するために請求項２に記載した発明は、前記スピーカユニットが、前記外枠の上端から上方に突出した位置と、前記外枠の上端から下方に退避した位置とに変換可能に設けられていることを特徴とする。
【０００９】
同様の目的を達成するために請求項３に記載した発明は、請求項１又は２に記載のパチンコ機において、前記スピーカユニットに設けた差込部を、前記外枠又は当該外枠の前面に配置される装飾枠の上部に設けた係合部に挿入することにより当該スピーカユニットが外枠又は装飾枠に装着され、その差込部を該係合部から抜くことによりスピーカユニットが外枠又は装飾枠から外れるように設けたことを特徴とするものである。
【００１０】
同様の目的を達成するために請求項４に記載した発明は、請求項１〜３の何れかに記載のパチンコ機において、前記スピーカに電力を供給するためのコネクターのソケット又はプラグの一方を前記係合部の内部に設置し、前記スピーカユニットの差込部に該ソケット又はプラグの他方を設置し、前記差込部を係合部に挿入したときに該プラグがソケットに挿入されるように設けたことを特徴とするものである。
【発明の効果】
【００１１】
（請求項１の発明）
このパチンコ機によれば、スピーカユニットを外枠から上方に突出させたデザインとすることにより電飾ランプ等を設置するスペースを確保すると共にパチンコ機全体としての装飾効果を高めることが可能である。
【００１２】
（請求項２の発明）
このパチンコ機は、スピーカユニットを下方に退避した位置とすれば、出荷時の運搬の際にコンパクトになるので取り扱いに都合よく、スピーカユニットを外枠の上端から上方に突出した位置にセットすれば、スピーカユニットの存在感が高められると共に従来よりも高い位置から音声演出が可能となる。
【００１３】
（請求項３及び４の発明）
このパチンコ機は、スピーカユニットが外枠又は装飾枠に簡単に着脱することができ、同時にスピーカに電力を供給するコネクターの接続及び取り外しができるので、修理・点検等の作業が容易に行なえる。また、スピーカユニットを取り外せば出荷時の運搬の際にコンパクトになるという利便性がある。
【発明を実施するための最良の形態】
【００１４】
以下に、本発明の最良の形態例を図面に基づいて説明する。図１は本発明に係るパチンコ機の正面図、図２は同、上部の側面図、図３は同、斜視図、図４はスピーカユニットをパチンコ機から外して一部を分解した状態を示す説明図、図５は差込部を係合部から外した状態（イ）と差込部を係合部に挿入した状態（ロ）の説明図である。
【００１５】
図１に本発明に係るパチンコ機ｐを示す。このパチンコ機ｐの外枠１には、前面にある装飾枠５を開閉自在に支持する金属製の内枠（図示せず）が一対のヒンジ金具により開閉可能に取付けられている。内枠の背面には、一般的なパチンコ機の構成と同様に、誘導レールによって囲まれる遊技領域内に図柄表示装置や入賞口、誘導釘等が設けられる遊技盤（図示せず）が取り付けられる。
【００１６】
装飾枠５の前面には、遊技領域を臨むように形成された窓穴部６に沿うように設けた電飾ランプ７、球受皿８や遊技球発射用ハンドル９が配設されている。
【００１７】
遊技に伴う音声演出を行なうためのスピーカユニット１１は、図２に示すように、外枠１の上端１ａから上方に突出した位置（ｈ）と、その上端１ａから下方に退避した位置（ｌ）とに変換可能に設けられている。１３ａ，１３ｂはスピーカユニット１１の本体部１２の左右両側に一体状に配設されたボックス部である。それら一対のボックス部１３ａ，１３ｂには、図示しないスピーカが夫々納められる。
【００１８】
図４に示すように、上記本体部１２の左右両側には軸１４ａ，１４ｂを夫々突設している。一方の軸１４ａには、ブロック形の差込部１７が一体に形成された軸受け片１５の軸孔１６を挿入するように設けている。その差込部１７の後側には、スピーカに電力を供給するためのコネクター３０のプラグ（又はソケット）３１を設置している。
【００１９】
他方の軸１４ｂには、ブロック形の差込部２１が一体に形成された軸受け片１９の軸孔２０を挿入するように設けている。また、軸受け片１５を軸１４ａに、軸受け片１９を軸１４ｂに取り付けた場合において、差込部１７の内端に形成した孔１８に差込部２１の内端に一体に形成した係合ピン２２が嵌合するように設けられている。
【００２０】
装飾枠５の中央上部には、スピーカユニット１１に取り付けられた軸受け片１５と軸受け片１９が進入可能な凹部５ａを設けると共に当該凹部５ａにスピーカユニット１１の前記差込部１７，２１が挿入可能な横長形の係合部５ｂを設ける。また、係合部５ｂの内部中央には、コネクター３０のソケット（又はプラグ）３２を設置する。
【００２１】
しかして、スピーカユニット１１は、その差込部１７，２１を装飾枠５の係合部５ｂに挿入することにより装飾枠５に簡単に装着することができる（図５）。これと同時に、コネクター３０のプラグ３１がソケット３２に挿入される。他方、スピーカユニット１１は、その差込部１７，２１を係合部５ｂから抜くことにより装飾枠５から簡単に取り外すことができる。
【００２２】
また、装飾枠５に装着されたスピーカユニット１１は、外枠１の上端１ａから上方に突出した位置（ｈ）において起立した状態に保持され、その状態から手前に回転させることにより上端１ａから下方に退避した位置（ｌ）に移動するように設けられている。
【００２３】
なお、この実施形態では係合部５ｂを装飾枠５に設ける構成としているが、その係合部を外枠１に設ける構成とすることも可能である。
【００２４】
以上に述べた通り、このパチンコ機によれば、スピーカユニットを外枠の上端から上方に突出した位置にセットすれば、スピーカユニットの存在感が高められると共に従来よりも高い位置から音声演出が可能となる。他方、スピーカユニットを下方に退避した位置とすれば、出荷時の運搬の際にコンパクトになるので取り扱いに都合がよい。
【図面の簡単な説明】
【００２５】
【図１】本発明に係るパチンコ機の正面図
【図２】同、上部の側面図
【図３】同、斜視図
【図４】スピーカユニットをパチンコ機から外して一部を分解した状態を示す説明図
【図５】差込部を係合部から外した状態（イ）と差込部を係合部に挿入した状態（ロ）の説明図
【符号の説明】
【００２６】
ｐ・・・本発明に係るパチンコ機
１・・・外枠
１ａ・・・上端
５・・・装飾枠
５ｂ・・・係合部
１１・・・スピーカユニット
１７，２１・・・差込部
３０・・・コネクター
３１・・・プラグ
３２・・・ソケット
（ｈ）・・・上方に突出した位置
（ｌ）・・・下方に退避した位置
【図１】
2009028286.tif 000003
【図２】
2009028286.tif 000004
【図３】
2009028286.tif 000005
【図４】
2009028286.tif 000006
【図５】
2009028286.tif 000007